(57)【特許請求の範囲】
【請求項１】
表面シート、裏面シート及びこれら両シート間に配置された吸収体を具備し、着用時に着用者の腹側に配される腹側部と、背側に配される背側部と、それらの間に位置する股下部とに区分された吸収性物品であって、
前記表面シートが、第１シートと第２シートとの積層体からなり、
前記積層体は、第１シートと第２シートとの接合部を複数有し、第１シートが、前記接合部以外の部位において第２シートから離れる方向に突出して、着用者の身体に向けて突出する複数の凸部を形成しており、
前記複数の凸部は、少なくとも前記股下部に配されており、
前記表面シートは、縦方向に延びる縦中心線を含む中央部に位置し且つ縦方向に延びる中央域、縦方向に沿う両側部に位置し且つ縦方向に延びる一対の側部域、該中央域と各該側部域との間に位置し且つ縦方向に延びる一対の中間部域を有し、
前記中央域に配された前記凸部の大きさと、各前記側部域に配された前記凸部の大きさとが同じであり、
前記中央域に配された前記凸部及び各前記側部域に配された前記凸部の大きさが、各前記中間部域に配された前記凸部の大きさよりも小さい吸収性物品。
【請求項２】
前記中央域に配された前記凸部及び各前記側部域に配された前記凸部の高さが、各前記中間部域に配された前記凸部の高さよりも低い請求項１に記載の吸収性物品。
【請求項３】
前記中央域に配された前記凸部及び各前記側部域に配された前記凸部の底面積が、各前記中間部域に配された前記凸部の底面積よりも小さい請求項１又は２に記載の吸収性物品。
【請求項４】
前記表面シートは、前記中央域、前記一対の側部域及び前記一対の中間部域からなり、
前記中央域に配された前記凸部の位置と、各前記側部域に配された前記凸部の位置とが、吸収性物品の横方向に平行に延びる仮想直線上に配されている請求項１〜３の何れか１項に記載の吸収性物品。
【請求項５】
前記表面シートは、前記中央域、前記一対の側部域及び前記一対の中間部域からなり、
各前記中間部域に配された前記凸部は、吸収性物品の縦方向に一定の間隔を空けて縦方向に延びる縦中心線に平行に配されている請求項１〜４の何れか１項に記載の吸収性物品。
【発明の詳細な説明】
【技術分野】
【０００１】
本発明は、使い捨ておむつや生理用ナプキン等の吸収性物品に関する。
【背景技術】
【０００２】
本出願人は、先に、使い捨ておむつ、生理用ナプキン等の吸収性物品の表面シートとして、着用者の肌側に向けられる肌側面に、エンボス加工等により凹凸形状を形成した立体的形状のシートをフラットな別のシートに貼り合わせた積層構造のシートを提案した（特許文献１）。
【０００３】
また、本出願人は、先に、吸収体の両側部に配される表面シートのサイド領域に、表面シートの中央領域に設けた凸部よりも高低差の大きい凸部を形成した表面シートを具備する吸収性物品を提案した（特許文献２）。
【先行技術文献】
【特許文献】
【０００４】
【特許文献１】特開２００４−１７４２３４号公報
【特許文献２】特開２００９−１４８４４５号公報
【発明の概要】
【発明が解決しようとする課題】
【０００５】
特許文献１に記載の立体的形状の積層シートによれば、表面シートの肌側面に凹凸形状を形成することで、軟便や尿などの漏れ防止効果を向上させることができる。しかし、特許文献１には、大きさの異なる凸部を設けることに関しては、何ら記載されていない。
【０００６】
また、特許文献２に記載の表面シートは、両側部に配されるサイド領域の凸部の大きさが、表面シートの中央領域に設けた凸部よりも大きいので、軟便や尿を該サイド領域の凸部の内部で保持でき、軟便や尿が、吸収性物品の側方に向かって流れる横流れを抑制することができる。しかし、該サイド領域が吸収体の両側部に対応している為、該サイド領域の凸部の内部で保持できる量が多いと、吸収体の両側部で吸収する量が多くなり、吸収体の側部から横流れが発生してしまうことも考えられる。このように特許文献２に記載の表面シートには、更なる改良の余地があった。
【０００７】
したがって本発明は、前述した従来技術が有する欠点を解消し得る吸収性物品を提供することにある。
【課題を解決するための手段】
【０００８】
本発明は、表面シート、裏面シート及びこれら両シート間に配置された吸収体を具備し、着用時に着用者の腹側に配される腹側部と、背側に配される背側部と、それらの間に位置する股下部とに区分された吸収性物品であって、前記表面シートが、第１シートと第２シートとの積層体からなり、前記積層体は、第１シートと第２シートとの接合部を複数有し、第１シートが、前記接合部以外の部位において第２シートから離れる方向に突出して、着用者の身体に向けて突出する複数の凸部を形成しており、前記複数の凸部は、少なくとも前記股下部に配されており、前記表面シートは、縦方向に延びる縦中心線を含む中央部に位置し且つ縦方向に延びる中央域、縦方向に沿う両側部に位置し且つ縦方向に延びる一対の側部域、該中央域と各該側部域との間に位置し且つ縦方向に延びる一対の中間部域を有し、前記中央域に配された前記凸部及び各前記側部域に配された前記凸部の大きさが、各前記中間部域に配された前記凸部の大きさよりも小さい吸収性物品を提供するものである。
【発明の効果】
【０００９】
本発明によれば、表面シートの凸部の配置により、吸収体の吸収面積の効率化が向上し、横流れが発生し難い。
【図面の簡単な説明】
【００１０】
【図１】図１は、本発明の吸収性物品の一実施形態である使い捨ておむつを、各部の弾性部材を伸長させて平面状に拡げた展開状態にし、肌対向面である表面シート側から見た平面図である。
【図２】図２は、図１におけるＩＩ−ＩＩ線断面を模式的に示す厚み方向断面図である。
【図３】図３は、図１に示すおむつに配されている表面シートの肌対向面を示す平面図である。
【図４】図４は、図３の要部を拡大して示す平面図である。
【図５】図５は、図４におけるＶ−Ｖ線断面を模式的に示す厚み方向断面図である。
【図６】図６は、図４におけるＶＩ−ＶＩ線断面を模式的に示す厚み方向断面図である。
【図７】図７は、本発明の吸収性物品の備える別の実施形態の表面シートの要部を拡大して示す平面図である（図４相当図）。
【図８】図８は、図７におけるＶＩＩＩ−ＶＩＩＩ線断面を模式的に示す厚み方向断面図である。
【図９】図９は、本発明の吸収性物品の備えるまた別の実施形態の表面シートの要部を拡大して示す平面図である（図４相当図）。
【図１０】図１０は、図９におけるＸ−Ｘ線断面を模式的に示す厚み方向断面図である。
【図１１】図１１は、本発明の吸収性物品の備える更に別の実施形態の表面シートの要部を拡大して示す平面図である（図４相当図）。
【図１２】図１２は、図１１におけるＸＩＩ−ＸＩＩ線断面を模式的に示す厚み方向断面図である。
【発明を実施するための形態】
【００１１】
以下、本発明の吸収性物品をその好ましい実施形態に基づき図面を参照して説明する。図１及び図２には、本発明の吸収性物品の一実施形態である使い捨ておむつ１（以下、単におむつ１ともいう）が示されている。おむつ１は、表面シート２、裏面シート３、及びこれら両シート２，３間に配置された吸収体４を具備し、着用時に着用者の腹側に配される腹側部１Ｆと、背側に配される背側部１Ｒと、それらの間に位置する股下部１Ｍとに区分されている。腹側部１Ｆ、股下部１Ｍ及び背側部１Ｒは、おむつ１を縦方向Ｘに三等分した場合の各領域に相当する。股下部１Ｍは、おむつ１の着用時に着用者の排泄部に対向配置される排泄部対向部を含んでおり、該排泄部対向部は通常、おむつ１の縦方向Ｘの中央部又はその近傍に位置している。
【００１２】
尚、本明細書において、「肌対向面」とは、おむつ１の各構成部材（例えば吸収体４）の表裏両面のうち、おむつ１の着用状態において着用者の肌側に配される側の面のことである。「非肌対向面」とは、おむつ１の各構成部材（例えば吸収体４）の表裏両面のうち、おむつ１の着用状態において着用者の肌側と反対側に配される面のことである。ここでいう「着用状態」とは、通常の適正な着用位置、すなわち当該吸収性物品の正しい着用位置が維持された状態を意味し、吸収性物品が該着用位置からずれた状態にある場合は含まない。
また、以下の説明において、「縦方向Ｘ」とは、平面に展開した状態のおむつ１において、腹側部１Ｆから背側部１Ｒに亘る方向のことである。また、「横方向Ｙ」とは、平面に展開した状態のおむつ１の縦方向Ｘと直交する方向であり、平面に展開した状態のおむつ１の幅方向のことである。
【００１３】
おむつ１は、縦方向Ｘに延びる中心線ＣＬに対して左右対称形となっている。従って、以下の説明では、左右対称な部分については、主に、一方についてのみ説明する。
おむつ１は、図１及び図２に示すように、吸収性コア４１を有する吸収体４と、該吸収体４の肌対向面側に配され、着用時に着用者の肌と接触し得る液透過性の表面シート２と、該吸収体４の非肌対向面側に配された液不透過性ないし撥水性の裏面シート３とを具備する。おむつ１は、図１に示す如き平面視において、股下部１Ｍに位置する縦方向Ｘの中央部が中心線ＣＬ側に括れ且つ縦方向Ｘに長い縦長の形状をなしている。表面シート２は、縦方向Ｘにおいて、吸収体４よりも大きな長さを有し、横方向Ｙにおいて、吸収体４とほぼ同様の長さを有するか，又は吸収体４よりも若干大きな長さを有している。裏面シート３は、縦方向Ｘ及び横方向Ｙそれぞれにおいて、吸収体４よりも大きな長さを有している。また裏面シート３は、縦方向Ｘにおいて、表面シート２とほぼ同等の長さを有し、横方向Ｙにおいて、表面シート２よりも大きな長さを有している。裏面シート３は、吸収体４の周縁から外方に延出し、図１に示す如き展開且つ伸長状態のおむつ１の輪郭を形成している。裏面シート３としては、この種の吸収性物品に従来用いられている各種のものを特に制限なく用いることができ、樹脂フィルム、樹脂フィルムと不織布等とのラミネート等を用いることができる。裏面シート３は通気性を有していてもよい。
【００１４】
おむつ１の表面シート２側における縦方向Ｘに沿う左右両側部には、それぞれサイドシート５が配されている。サイドシート５は、縦方向Ｘに沿う中心線ＣＬ側の内側縁部と、該内側縁部よりも横方向Ｙの外方に位置して縦方向Ｘに沿う外側縁部とを有し、図１に示す如き平面視において、該内側縁部は吸収体４と重なり、該外側縁部は、図２に示すように、吸収体４の縦方向Ｘに沿う側縁から横方向Ｙの外方に延出し裏面シート３と接合されている。着用者の脚周りに配される左右のレッグ部におけるサイドシート５と裏面シート３との間には、糸状の弾性部材５０が縦方向Ｘに沿って伸長状態で固定されている。これにより、おむつ１の着用時におけるレッグ部には、弾性部材５０の収縮により一対のレッグギャザーが形成される。また、サイドシート５の内側縁部には、糸状の弾性部材５１が縦方向Ｘに沿って伸長状態で固定されており、これにより、おむつ１の着用時には弾性部材５１の収縮により少なくとも股下部１Ｍにおいて、サイドシート５は裏面シート３との接合部を起点として該内側縁部側が着用者の肌側に向かって起立し、防漏カフを形成する。この防漏カフは、尿等の排泄液の横方向Ｙの外方への流出いわゆる横漏れを防止し得る。表面シート２、裏面シート３、吸収体４、サイドシート５及び弾性部材５０，５１は、ホットメルト型接着剤等の公知の接合手段により互いに接合されている。サイドシート５としては、通常、使い捨ておむつ等の吸収性物品に用いられるものであれば、特に制限なく用いることができ、伸縮性のフィルム、不織布、織物またはそれらの積層シート等を用いることができる。
【００１５】
おむつ１は、いわゆる展開型の使い捨ておむつである。図１に示すように、おむつ１の背側部１Ｒの縦方向Ｘに沿う左右両側縁部には、一対のファスニングテープ６，６が設けられている。ファスニングテープ６には、機械的面ファスナーのオス部材からなる止着部（図示せず）が取り付けられている。また、おむつ１の腹側部１Ｆの非肌対向面には、機械的面ファスナーのメス部材からなる被止着領域７が形成されている。被止着領域７は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ６の前記止着部を着脱自在に止着可能になされている。
【００１６】
おむつ１では、吸収体４は、図１に示す如き平面視において、縦方向Ｘに長い形状をなし、腹側部１Ｆから背側部１Ｒにわたって延在している。吸収体４は、吸収性材料を含む液保持性の吸収性コア４１と、該吸収性コア４１の肌対向面及び非肌対向面を被覆するコアラップシート４２とを含んで構成されている。吸収性コア４１とコアラップシート４２との間は、ホットメルト型接着剤等の公知の接合手段により接合されている。
【００１７】
おむつ１では、吸収性コア４１は単層構造、或いは吸収性コア４１は多層構造であり得る。吸収性コア４１は、図１に示す如き平面視において、長手方向、すなわち縦方向Ｘの中央部が内方に括れた砂時計状をなしている。吸収性コア４１は吸収性材料を含むコア形成材料が積繊されてなる。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。すなわち、吸収性コア４１は、親水性繊維の積繊体、あるいは該積繊体に吸水性ポリマー粒子を担持させたものであり得る。
【００１８】
コアラップシート４２としては、透水性のシート材を用いることができる。コアラップシート４２として、例えば、紙、不織布等を用いることができる。おむつ１では、コアラップシート４２は、吸収性コア４１の横方向Ｙの長さの２倍以上３倍以下の幅を有する１枚の連続したコアラップシート４２であり、この１枚のコアラップシート４２は、図２に示すとおり、吸収性コア４１の肌対向面の全域を被覆し、且つ吸収性コア４１の縦方向Ｘに沿う両側縁から横方向Ｙの外方に延出し、その延出部が、吸収性コア４１の下方に巻き下げられて、吸収性コア４１の非肌対向面の全域を被覆している。尤も、コアラップシート４２の形態はこれに限定されず、例えば、吸収性コア４１の肌対向面を被覆する肌側コアラップシートと、吸収性コア４１の非肌対向面を被覆する非肌側コアラップシートとを含み、且つ両シートがそれぞれ別体のシートであってもよい。
【００１９】
表面シート２は、図３に示すように、縦方向Ｘに延びる縦中心線ＣＬを含む中央部に位置し且つ縦方向に延びる中央域２Ｃ、縦方向Ｘに沿う両側部に位置し且つ縦方向Ｘに延びる一対の側部域２Ｓ，２Ｓ、中央域２Ｃと各側部２Ｓとの間に位置し且つ縦方向Ｘに延びる一対の中間部域２Ｍを有しており、おむつ１では、表面シート２は、中央域２Ｃ、一対の側部域２Ｓ，２Ｓ及び一対の中間部域２Ｍからなる。即ち、おむつ１の表面シート２は、中央域２Ｃ、一対の側部域２Ｓ，２Ｓ及び一対の中間部域２Ｍの５つの領域に区分されている。
【００２０】
表面シート２における中央域２Ｃ、側部域２Ｓ及び中間部域２Ｍとは、後述する凸部の形状及び／又は凸部の大きさによって区別することができる。表面シート２は、吸収体４における肌対向面側に配置されている。そして、上述したように、表面シート２は、横方向Ｙにおいて、吸収体４とほぼ同様の長さを有するか，又は吸収体４よりも若干大きな長さを有している。中央域２Ｃの幅（横方向Ｙの長さ）は、表面シート２の横方向Ｙの全長に対して、４％以上であることが好ましく、１６％以上であることが更に好ましく、そして、３４％以下であることが好ましく、２８％以下であることが更に好ましく、具体的には、４％以上３４％以下であることが好ましく、１６％以上２８％以下であることが更に好ましい。また、各側部域２Ｓの幅（横方向Ｙの長さ）はそれぞれ、表面シート２の横方向Ｙの全長に対して、４％以上であることが好ましく、１６％以上であることが更に好ましく、そして、３４％以下であることが好ましく、２８％以下であることが更に好ましく、具体的には、４％以上３４％以下であることが好ましく、１６％以上２８％以下であることが更に好ましい。また、各中間部域２Ｍの幅（横方向Ｙの長さ）はそれぞれ、表面シート２の横方向Ｙの全長に対して、４％以上であることが好ましく、１２％以上であることが更に好ましく、そして、３２％以下であることが好ましく、２４％以下であることが更に好ましく、具体的には、４％以上３２％以下であることが好ましく、１２％以上２４％以下であることが更に好ましい。
【００２１】
表面シート２は、図２に示すように、第１シート２ｕと第２シート２ｄとの積層体からなる。第１シート２ｕは、おむつ１の着用状態において、着用者の身体側に位置している。第２シート２ｄは、おむつ１の着用状態において、吸収体４側に位置している。積層体である表面シート２は、図３に示すように、第１シート２ｕ及び第２シート２ｄが部分接合による接合部８を複数有し、第１シート２ｕが、該接合部８以外の部位において第２シート２ｄから離れる方向に突出して、着用者の肌側に向かって突出する複数の凸部９を形成している。表面シート２は、中央域２Ｃ、各側部域２Ｓ及び各中間部域２Ｍの何れにおいても、第２シート２ｄがほぼ平坦であり、第１シート２ｕに起伏の大きな凹凸が形成されて、複数の凸部９を形成している。
【００２２】
接合部８は、種々の手段で形成することができる。第１シート２ｕ及び第２シート２ｄが、例えば、熱融着可能な材料から構成されている場合には、熱、超音波、高周波による融着などを用いることができる。第１シート２ｕ及び第２シート２ｄの材質にかかわらず、接着剤による接着を用いることもできる。おむつ１の接合部８は、第１シート２ｕと第２シート２ｄとが一体的に加圧され、両シート２ｕ，２ｄは何れも他の部分に比して高密度化しており、好ましくは、一方又は両方のシートの構成樹脂の溶融及びその後の固化により両シート２ｕ，２ｄ間が熱融着している。
【００２３】
複数の凸部９は、少なくとも股下部１Ｍに配されていれば良いが、股下部１Ｍから腹側部１Ｆ及び背側部１Ｒのいずれか一方若しくは双方にわたって配されていることが好ましく、おむつ１では、中央域２Ｃ、各側部域２Ｓ及び各中間部域２Ｍの何れの複数の凸部９も、腹側部１Ｆから背側部１Ｒに亘って配されている。凸部９は、中央域２Ｃの凸部９Ｃ、各側部域２Ｓの凸部９Ｓ、各中間部域２Ｍの凸部９Ｍ及び各中間部域２Ｍの別凸部９Ｍ´を有している。尚、中央域２Ｃの複数の凸部９Ｃの配置位置、各側部域２Ｓの複数の凸部９Ｓの配置位置、各中間部域２Ｍの複数の凸部９Ｍ及び複数の別凸部９Ｍ´の配置位置を、それぞれ変えていてもよい。例えば、体液の横漏れの防止の観点から、中央域２Ｃの複数の凸部９Ｃ、各中間部域２Ｍの複数の凸部９Ｍ及び複数の別凸部９Ｍ´を股下部１Ｍにのみ配し、各側部域２Ｓの複数の凸部９Ｓを腹側部１Ｆから背側部１Ｒに亘って配してもよい。
【００２４】
第１シート２ｕ及び第２シート２ｄは、シート材料から構成されている。シート材料としては、例えば不織布、織布及び編み地などの繊維シートや、フィルムなどを用いることができ、肌触り等の観点から繊維シートを用いることが好ましく、特に不織布を用いることが好ましい。第１シート２ｕと第２シート２ｄを構成するシート材料の種類は同じでもよく、あるいは異なっていてもよい。
【００２５】
第１シート２ｕ及び第２シート２ｄを構成するシート材料として、不織布を用いる場合の不織布としては、例えば、エアスルー不織布、スパンボンド不織布、スパンレース不織布、メルトブローン不織布、レジンボンド不織布、ニードルパンチ不織布などが挙げられる。これらの不織布を２種以上組み合わせた積層体や、これらの不織布とフィルム等とを組み合わせた積層体を用いることもできる。これらのなかでも、エアスルー不織布又はスパンボンド不織布を用いることが好ましい。第１シート２ｕ及び第２シート２ｄを構成するシート材料として用いる不織布の坪量は、好ましくは１０ｇ／ｍ２以上、より好ましくは１５ｇ／ｍ２以上であり、また好ましくは４０ｇ／ｍ２以下、より好ましくは３５ｇ／ｍ２以下である。不織布の坪量は１０ｇ／ｍ２以上４０ｇ／ｍ２以下であることが好ましく、１５ｇ／ｍ２以上３５ｇ／ｍ２以下であることが更に好ましい。
【００２６】
不織布を構成する繊維としては、各種の熱可塑性樹脂からなる繊維を用いることができる。熱可塑性樹脂としては、ポリエチレンやポリプロピレンなどのポリオレフィン、ポリエチレンテレフタレートなどのポリエステル、ナイロン６やナイロン６６などのポリアミド、ポリアクリル酸、ポリメタクリル酸アルキルエステル、ポリ塩化ビニル、ポリ塩化ビニリデンなどが挙げられる。これらの樹脂は１種を単独で又は２種以上のブレンド物として用いることができる。また、芯鞘型やサイド・バイ・サイド型などの複合繊維の形態で用いることができる。
【００２７】
積層体である表面シート２は、一般に、第１シート２ｕ及び第２シート２ｄの原反の繰り出し方向を、おむつ１の縦方向Ｘに一致させて配置している場合が多い。即ち、第１シート２ｕ及び第２シート２ｄが例えば不織布である場合には、縦方向Ｘは、不織布を構成する繊維の主たる繊維配向方向と一致する場合が多い。また、表面シート２において、縦方向Ｘは、表面シート２を製造するときの搬送方向（ＭＤ）でもある。
【００２８】
表面シート２では、図３及び図４に示すように、中央域２Ｃに配された凸部９Ｃ及び各側部域２Ｓに配された凸部９Ｓの大きさが、各中間部域２Ｍに配された凸部９Ｍ及び別凸部９Ｍ´の大きさよりも小さく形成されている。ここで、中央域２Ｃに配された凸部９Ｃ及び各側部域２Ｓに配された凸部９Ｓは、それぞれ、図４に示すように、合計６つの接合部８に囲まれた領域内に形成されている。おむつ１では、中央域２Ｃに配された凸部９Ｃの大きさと、各側部域２Ｓに配された凸部９Ｓの大きさが同じになっている。
【００２９】
おむつ１では、中央域２Ｃ及び各側部域２Ｓにおいては、図４に示すように、接合部８として、縦方向Ｘに沿う長さＬ１が横方向Ｙに沿う長さＬ２と同じ正方形状の第１接合部８１が配されている。第１接合部８１は、いずれも矩形をしており、その矩形の各辺は縦方向Ｘ又は横方向Ｙと一致している。おむつ１では、中央域２Ｃ及び各側部域２Ｓにおいては、全ての接合部が、第１接合部８１である。
【００３０】
おむつ１では、中央域２Ｃ及び各側部域２Ｓにおいては、図４に示すように、第１接合部８１が横方向Ｙに沿って１種類の間隔Ｌ３で規則的に配置された第１接合部列８Ｒａが、縦方向(Ｘ方向)に複数列配されている。また、第１接合部８１が横方向Ｙに沿って１種類の間隔Ｌ４で規則的に配置された第２接合部列８Ｒｂが、縦方向(Ｘ方向)に複数列配されている。そして、第１接合部列８Ｒａと第２接合部列８Ｒｂが、縦方向Ｘに交互に配されている。尚、おむつ１では、中央域２Ｃにおける縦方向Ｘに交互に配された第１接合部列８Ｒａ及び第２接合部列８Ｒｂは、縦方向Ｘにおける配置位置が、各側部域２Ｓにおける縦方向Ｘに交互に配された第１接合部列８Ｒａ及び第２接合部列８Ｒｂの縦方向Ｘにおける配置位置と一致している。
【００３１】
縦方向Ｘに隣り合う第１接合部列８Ｒａ，８Ｒａを構成する第１接合部８１，８１どうしは、横方向Ｙにおける配置位置が一致している。縦方向Ｘに隣り合う第２接合部列８Ｒｂ，８Ｒｂを構成する第１接合部８１，８１どうしは、横方向Ｙにおける配置位置が一致している。そして、第１接合部列８Ｒａにおける間隔Ｌ３で隣り合う第１接合部８１，８１どうし間に、第２接合部列８Ｒｂにおける間隔Ｌ４で隣り合う一対の第１接合部８１，８１が位置している。縦方向Ｘに隣り合う第１接合部列８Ｒａと第２接合部列８Ｒｂとの間には一定の幅Ｗ１の隙間が形成されている。
【００３２】
おむつ１では、中央域２Ｃ及び各側部域２Ｓにおいては、図４に示すように、合計６つの第１接合部８１に囲まれた領域内に凸部９Ｃ，９Ｓが形成されている。具体的には、中央域２Ｃにおいては、第１接合部列８Ｒａを構成する２個の第１接合部８１，８１、及び、縦方向Ｘにおいて、該第１接合部列８Ｒａに隣り合う２つの第２接合部列８Ｒｂ，８Ｒｂを構成する４個の第１接合部８１，８１の合計６個の第１接合部８１によって囲まれた領域内に凸部９Ｃが形成されている。また、各側部域２Ｓにおいても、中央域２Ｃと同様に、第１接合部列８Ｒａを構成する２個の第１接合部８１，８１、及び、縦方向Ｘにおいて、該第１接合部列８Ｒａに隣り合う２つの第２接合部列８Ｒｂ，８Ｒｂを構成する４個の第１接合部８１，８１の合計６個の第１接合部８１によって囲まれた領域内に凸部９Ｓが形成されている。
【００３３】
おむつ１では、中央域２Ｃ及び各側部域２Ｓにおいては、図４に示すように、第１接合部８１が、上述の形態で形成され且つ上述の配置位置に形成されている。そして、表面シート２の製造時に、合計６個の第１接合部８１に囲まれた領域に相当する部分を、非肌対向面側から押圧したり、肌対向面側から吸引したりすること等によって、表面シート２に、図５に示すような断面形状の凸部９Ｃ，９Ｓが多数形成される。
【００３４】
おむつ１では、中央域２Ｃ及び各側部域２Ｓにおいては、図３及び図４に示すように、凸部９Ｃ，９Ｓが、縦方向Ｘに一定の間隔で縦方向Ｘに沿って直列に配されている。上述したように、おむつ１では、中央域２Ｃにおける縦方向Ｘに交互に配された第１接合部列８Ｒａ及び第２接合部列８Ｒｂの縦方向Ｘにおける配置位置が、各側部域２Ｓにおける縦方向Ｘに交互に配された第１接合部列８Ｒａ及び第２接合部列８Ｒｂの縦方向Ｘにおける配置位置と一致している。その為、中央域２Ｃに配された凸部９Ｃの縦方向Ｘにおける配置位置と各側部域２Ｓに配された凸部９Ｓの縦方向Ｘにおける配置位置とが一致しており、中央域２Ｃの凸部９Ｃと各側部域２Ｓの凸部９Ｓとが横方向Ｙに平行に延びる仮想直線上に配されている。
【００３５】
おむつ１では、中央域２Ｃ及び各側部域２Ｓの凸部９Ｃ，９Ｓは、図３及び図４に示すように、平面視において、円形又は楕円形状であり、図５に示すように、第１シート２ｕと第２シート２ｄとの間に形成された内部に中空部１０を有している。凸部９Ｃ，９Ｓは、６個の第１接合部８１に囲まれた領域の中央部に頂部を形成している。
【００３６】
次に、表面シート２では、図３及び図４に示すように、各中間部域２Ｍに配された凸部９Ｍは、それぞれ、図４に示すように、合計１２個の接合部８に囲まれた領域内に形成されている。同様に、別凸部９Ｍ´は、それぞれ、合計６つの接合部８に囲まれた領域に配置されている。
【００３７】
おむつ１では、各中間部域２Ｍにおいては、図４に示すように、接合部８として、中央域２Ｃ及び各側部域２Ｓにと同様に、縦方向Ｘに沿う長さＬ１が横方向Ｙに沿う長さＬ２と同じ正方形状の第１接合部８１を有しており、更に、縦方向Ｘに沿う長さＬ５が横方向Ｙに沿う長さＬ６よりも長い長方形状の縦長接合部８２を複数有している。縦長接合部８２は、いずれも矩形をしており、その矩形の各辺は縦方向Ｘ又は横方向Ｙと一致している。おむつ１では、縦長接合部８２の横方向Ｙに沿う長さＬ６が、第１接合部８１の縦方向Ｘに沿う長さＬ１及び横方向Ｙに沿う長さＬ２と一致している。
【００３８】
おむつ１では、各中間部域２Ｍにおいては、図４に示すように、積層された第１シート２ｕ及び第２シート２ｄが部分的に接合された複数の第１接合部８１及び縦長接合部８２を有している。また、第１シート２ｕは、それらの接合部８１，８２以外の部位において第２シート２ｄから離れる方向に突出しており、それによって、着用者の肌側に向かって突出する凸部９Ｍ及び別凸部９Ｍ´が形成されている。凸部９Ｍ及び別凸部９Ｍ´は、横方向Ｙに延びており、縦方向Ｘに間隔を開けて複数形成されている。そして、各中間部域２Ｍに配された凸部９Ｍ及び別凸部９Ｍ´は、縦方向Ｘに一定の間隔を空けて縦方向Ｘに延びる縦中心線ＣＬに平行に配されている。
【００３９】
おむつ１では、各中間部域２Ｍの凸部９Ｍは、図４に示すように、１個の第１凸部９Ｍ１と該第１凸部９Ｍ１の横方向Ｙの両端部に配された２個の第２凸部９Ｍ２，９Ｍ２とを有している。凸部９Ｍは、横方向Ｙに、一方の第２凸部９Ｍ２、第１凸部９Ｍ１、他方の第２凸部９Ｍ２の順に配され、一方の第２凸部９Ｍ２、第１凸部９Ｍ１、他方の第２凸部９Ｍ２が互いに連結されて形成されている。凸部９Ｍを構成する第１凸部９Ｍ１及び各第２凸部９Ｍ２は、それぞれ、第１シート２ｕと第２シート２ｄとの間に形成された内部に中空部１０を有している。そして、凸部９Ｍは、図６に示すように、第１凸部９Ｍ１の中空部１０及び各第２凸部９Ｍ２の中空部１０が連続した横方向Ｙに長く延びる中空部１０を有している。凸部９Ｍを構成する第１凸部９Ｍ１は、図４に示すように、平面視での形状が円形状であるが、凸部９Ｍを構成する各第２凸部９Ｍ２は、平面視での形状が楕円形状である。楕円形状の各第２凸部９Ｍ２は、楕円の長軸が横方向Ｙと一致している。
【００４０】
また、おむつ１では、各中間部域２Ｍの別凸部９Ｍ´は、図４に示すように、平面視において、円形又は楕円形状であり、その大きさが、中央域２Ｃに配された凸部９Ｃ及び各側部域２Ｓに配された凸部９Ｓよりも大きく、中間部域２Ｍに配された凸部９Ｍよりも小さく形成されている。また、別凸部９Ｍ´は、５つの第１接合部８１と１つの第２接合部８２とに囲まれた領域に形成されている。
【００４１】
尚、おむつ１では、各中間部域２Ｍに縦方向第１接合部列８Ｒｃが１本形成されているが、これに限られず、縦方向第１接合部列８Ｒｃと縦方向第２接合部列８Ｒｄｘとが交互に複数並んで形成されている形態であることが好ましい。
【００４２】
おむつ１では、各中間部域２Ｍにおいては、図４に示すように、１本の縦方向第１接合部列８Ｒｃの左右横方向Ｙの外方に、それぞれ、１本の縦方向第２接合部列８Ｒｄｘが等間隔を空けて配されて横方向Ｙに多列に形成されている。該間隔は、おむつ１では、中央域２Ｃ及び各側部域２Ｓに配された第２接合部列８Ｒｂにおける横方向Ｙに隣り合う第１接合部８１，８１どうしの間隔Ｌ４と一致している。
【００４３】
おむつ１では、各中間部域２Ｍにおいては、図４に示すように、縦方向Ｘに隣り合う２列の横方向第２接合部列８Ｒｄｙ，８Ｒｄｙ間に、１個の縦長接合部８２が介在しているエンボス領域Ｅと、縦方向Ｘに隣り合う２列の横方向第２接合部列８Ｒｄｙ，８Ｒｄｙ間に、縦長接合部８２を含まない領域である非エンボス領域Ｎとが、縦方向Ｘに交互に形成されており、個々の凸部９Ｍは、円形状の第１凸部９Ｍ１の頂部が、非エンボス領域Ｎの縦方向Ｘの中央部に位置するように形成されている。尚、おむつ１では、各中間部域２Ｍに配されている横方向第２接合部列８Ｒｄｙは、縦方向Ｘにおける配置位置が、上述した中央域２Ｃ及び各側部域２Ｓに配された第１接合部列８Ｒａの縦方向Ｘにおける配置位置と一致している。
【００４４】
おむつ１では、各中間部域２Ｍの凸部９Ｍは、図４に示すように、横方向Ｙに長く延びるとともに、横方向Ｙに規則的に幅（縦方向Ｘの長さ）が括れた部分をしている。好適には、非エンボス領域Ｎを挟んで対向する一対の縦長接合部８２，８２どうし間に、凸部９Ｍを構成する第１凸部９Ｍ１が形成され、非エンボス領域Ｎを挟んで対向する二対の第１接合部８１，８１からなる合計四個の第１接合部８１に囲まれた領域に、凸部９Ｍを構成する第２凸部９Ｍ２が形成されており、縦方向Ｘの長さに関し、第１凸部９Ｍ１の長さＬ７よりも第２凸部９Ｍ２の長さＬ８が短くなっている。
【００４５】
おむつ１では、各中間部域２Ｍの凸部９Ｍを構成する円形状の第１凸部９Ｍ１の頂部は、縦方向Ｘにおける配置位置が、中央域２Ｃ及び各側部域２Ｓに配された縦方向Ｘに隣り合う凸部９Ｃ，９Ｃの頂部どうし或いは凸部９Ｓ，９Ｓの頂部どうしを結ぶ縦方向Ｘに延びる直線の中央部に位置するように配置されている。
【００４６】
以上のような構成のおむつ１の表面シート２は、例えば、特開２０１５−１１２３４３号公報に記載の複合シートの製造方法に準じて製造することができる。具体的には、例えば、帯状の第１シート２ｕを、周面が互いに噛み合い形状となっている第１ロールと第２ロールとの間に供給して、第１シート２ｕを凹凸形状に変形させた後、第１シート２ｕを第１ロールの周面部に沿わせて噛み合い部分から移動させた後、第２シート２ｄを第１シート２ｕに重ね合わせるように供給して両シートを、第１ロールにおける凸部とヒートロールとの間で加熱下に挟圧して部分的に接合させ、その際、第１シート２ｕの中央部と側部とで、第１ロール及び第２ロールの凹凸形状、及び第１ロールとヒートロールで形成する接合部のパターンを異ならせることにより得られる。第１ロールと第２ロールとの噛み合い部に噛み込ませて第１シート２ｕを凹凸形状に変形させる際には、第１シート２ｕをロール内部方向に向けて吸引して、第１シート２ｕの凹凸形状への変形を促進させることが好ましい。
【００４７】
おむつ１は、図２〜図４に示すように、吸収体４の肌対向面側に配された表面シート２が、縦方向Ｘに延びる縦中心線ＣＬを含む中央部に位置する中央域２Ｃ、縦方向Ｘに沿う両側部に位置する一対の側部域２Ｓ，２Ｓ、及び中央域２Ｃと各側部２Ｓとの間に位置する一対の中間部域２Ｍを有しており、中央域２Ｃに配された凸部９Ｃ及び各側部域２Ｓに配された凸部９Ｓの大きさが、各中間部域２Ｍに配された凸部９Ｍの大きさよりも小さく形成されている。その為、おむつ１の着用中に軟便や尿が排泄されると、先ず、中央域２Ｃに配された凸部９Ｃで軟便や尿を吸収しながら、中央域２Ｃの左右両外方にある各中間部域２Ｍに配された、中央域２Ｃの凸部９Ｃよりも大きい凸部９Ｍによって、側方に向かって流れる軟便や尿の横流れを抑制し、中央域２Ｃ及び各中間部域２Ｍに位置する吸収体４の部分で軟便や尿を吸収することができる。そして、おむつ１は、縦方向Ｘに沿う一対の側部域２Ｓ，２Ｓに凸部９Ｓを有しているので、中間部域２Ｍよりも横方向Ｙ外方にまで軟便や尿が流れたとしても、軟便や尿の横流れを防止することができる。このように、おむつ１では、中央域２Ｃに配された凸部９Ｃ及び各側部域２Ｓに配された凸部９Ｓの大きさが各中間部域２Ｍに配された凸部９Ｍの大きさよりも小さく形成されているので、吸収体４の吸収面積の効率化が向上し、軟便や尿の横流れが発生し難い。
【００４８】
上述したように、おむつ１の表面シート２では、図４に示す如く、中央域２Ｃに配された凸部９Ｃ及び各側部域２Ｓに配された凸部９Ｓの大きさが、各中間部域２Ｍに配された凸部９Ｍの大きさよりも小さく形成されている。ここで、凸部９の大きさが小さいとは、相対的に凸部９の高さが低いこと、及び相対的に凸部９の底面積が小さいことの何れか一方を満たすことを意味する。尚、凸部９の底面積とは、第２シート２ｄにおける該凸部９を形成する接合部８で囲まれた領域の面積を意味する。好適に、おむつ１では、図５及び図６に示すように、中央域２Ｃに配された凸部９Ｃ及び各側部域２Ｓに配された凸部９Ｓの高さＨ１が、各中間部域２Ｍに配された凸部９Ｍの高さＨ２よりも低くなっており、中央域２Ｃの凸部９Ｃ及び各側部域２Ｓの凸部９Ｓの大きさが各中間部域２Ｍの凸部９Ｍの大きさよりも小さくなっている。
【００４９】
上述した効果を一層奏する観点から、各中間部域２Ｍに配された凸部９Ｍの高さＨ２に対する、中央域２Ｃに配された凸部９Ｃ及び各側部域２Ｓに配された凸部９Ｓの高さＨ１の比（Ｈ１／Ｈ２）は、０．１以上であることが好ましく、０．４以上であることが更に好ましく、そして、０．９以下であることが好ましく、０．６以下であることが更に好ましく、具体的には、０．１以上０．９以下であることが好ましく、０．４以上０．６以下であることが更に好ましい。同様の観点から、中央域２Ｃに配された凸部９Ｃ及び各側部域２Ｓに配された凸部９Ｓの高さＨ１は、０．５ｍｍ以上であることが好ましく、１ｍｍ以上であることが更に好ましく、そして、５ｍｍ以下であることが好ましく、２ｍｍ以下であることが更に好ましく、具体的には、０．５ｍｍ以上５ｍｍ以下であることが好ましく、１ｍｍ以上２ｍｍ以下であることが更に好ましい。また、同様の観点から、各中間部域２Ｍに配された凸部９Ｍの高さＨ２は、１ｍｍ以上であることが好ましく、２ｍｍ以上であることが更に好ましく、そして、６ｍｍ以下であることが好ましく、３ｍｍ以下であることが更に好ましく、具体的には、１ｍｍ以上６ｍｍ以下であることが好ましく、２ｍｍ以上３ｍｍ以下であることが更に好ましい。
【００５０】
更に、おむつ１の表面シート２では、図５及び図６に示すように、中央域２Ｃに配された凸部９Ｃ及び各側部域２Ｓに配された凸部９Ｓの底面積Ｄ１が、各中間部域２Ｍに配された凸部９Ｍの底面積Ｄ２よりも小さくなっており、中央域２Ｃの凸部９Ｃ及び各側部域２Ｓの凸部９Ｓの大きさが各中間部域２Ｍの凸部９Ｍの大きさよりも小さくなっている。ここで、凸部９Ｃ，９Ｓの底面積Ｄ１は、第２シート２ｄにおける合計６つの第１接合部８１で囲まれた領域の面積を意味する。また、凸部９Ｍの底面積Ｄ２は、第２シート２ｄにおける合計１２個の接合部８１，８２に囲まれた領域の面積を意味する。
【００５１】
上述した効果を一層奏する観点から、各中間部域２Ｍに配された凸部９Ｍの底面積Ｄ２に対する、中央域２Ｃに配された凸部９Ｃ及び各側部域２Ｓに配された凸部９Ｓの底面積Ｄ１の比（Ｄ１／Ｄ２）は、０．１以上であることが好ましく、０．２以上であることが更に好ましく、そして、０．９以下であることが好ましく、０．４以下であることが更に好ましく、具体的には、０．１以上０．９以下であることが好ましく、０．２以上０．４以下であることが更に好ましい。同様の観点から、中央域２Ｃに配された凸部９Ｃ及び各側部域２Ｓに配された凸部９Ｓの底面積Ｄ１は、１ｍｍ２以上であることが好ましく、４ｍｍ２以上であることが更に好ましく、そして、４００ｍｍ２以下であることが好ましく、２５ｍｍ２以下であることが更に好ましく、具体的には、１ｍｍ２以上４００ｍｍ２以下であることが好ましく、４ｍｍ２以上２５ｍｍ２以下であることが更に好ましい。また、同様の観点から、各中間部域２Ｍに配された凸部９Ｍの底面積Ｄ２は、３ｍｍ２以上であることが好ましく、２０ｍｍ２以上であることが更に好ましく、そして、１５００ｍｍ２以下であることが好ましく、４０ｍｍ２以下であることが更に好ましく、具体的には、３ｍｍ２以上１５００ｍｍ２以下であることが好ましく、２０ｍｍ２以上４０ｍｍ２以下であることが更に好ましい。
【００５２】
また、上述した効果が一層確実に奏されるようにする観点から、おむつ１の表面シート２は、以下の構成を有することが好ましい。
【００５３】
中央域２Ｃ及び各側部域２Ｓに配された第１接合部８１は、縦方向Ｘに沿う長さＬ１が、０．３ｍｍ以上であることが好ましく、０．５ｍｍ以上であることが更に好ましく、そして、１０ｍｍ以下であることが好ましく、１ｍｍ以下であることが更に好ましく、具体的には、０．３ｍｍ以上１０ｍｍ以下であることが好ましく、０．５ｍｍ以上１ｍｍ以下であることが更に好ましい。
中央域２Ｃ及び各側部域２Ｓに配された第１接合部８１は、横方向Ｙに沿う長さＬ２が、０．３ｍｍ以上であることが好ましく、０．５ｍｍ以上であることが更に好ましく、そして、１０ｍｍ以下であることが好ましく、２ｍｍ以下であることが更に好ましく、具体的には、０．３ｍｍ以上１０ｍｍ以下であることが好ましく、０．５ｍｍ以上２ｍｍ以下であることが更に好ましい。
【００５４】
中央域２Ｃ及び各側部域２Ｓに配された第１接合部列８Ｒａにおける間隔Ｌ３は、１ｍｍ以上であることが好ましく、２ｍｍ以上であることが更に好ましく、そして、２０ｍｍ以下であることが好ましく、５ｍｍ以下であることが更に好ましく、具体的には、１ｍｍ以上２０ｍｍ以下であることが好ましく、２ｍｍ以上５ｍｍ以下であることが更に好ましい。
中央域２Ｃ及び各側部域２Ｓに配された第２接合部列８Ｒｂにおける間隔Ｌ４は、０．３ｍｍ以上であることが好ましく、０．５ｍｍ以上であることが更に好ましく、そして、１０ｍｍ以下であることが好ましく、２ｍｍ以下であることが更に好ましく、具体的には、０．３ｍｍ以上１０ｍｍ以下であることが好ましく、０．５ｍｍ以上２ｍｍ以下であることが更に好ましい。
中央域２Ｃ及び各側部域２Ｓに配された縦方向Ｘに隣り合う第１接合部列８Ｒａと第２接合部列８Ｒｂとの間の隙間の幅Ｗ１の隙間、０．３ｍｍ以上であることが好ましく、０．５ｍｍ以上であることが更に好ましく、そして、２ｍｍ以下であることが好ましく、１ｍｍ以下であることが更に好ましく、具体的には、０．３ｍｍ以上２ｍｍ以下であることが好ましく、０．５ｍｍ以上１ｍｍ以下であることが更に好ましい。
【００５５】
各中間部域２Ｍに配された縦長接合部８２は、縦方向Ｘに沿う長さＬ５が、１ｍｍ以上であることが好ましく、２ｍｍ以上であることが更に好ましく、そして、２０ｍｍ以下であることが好ましく、３ｍｍ以下であることが更に好ましく、具体的には、１ｍｍ以上２０ｍｍ以下であることが好ましく、２ｍｍ以上３ｍｍ以下であることが更に好ましい。
各中間部域２Ｍに配された縦長接合部８２は、横方向Ｙに沿う長さＬ６が、０．３ｍｍ以上であることが好ましく、０．５ｍｍ以上であることが更に好ましく、そして、１０ｍｍ以下であることが好ましく、２ｍｍ以下であることが更に好ましく、具体的には、０．３ｍｍ以上１０ｍｍ以下であることが好ましく、０．５ｍｍ以上２ｍｍ以下であることが更に好ましい。
【００５６】
各中間部域２Ｍに配された凸部９Ｍを構成する第１凸部９Ｍ１の長さＬ７は、１ｍｍ以上であることが好ましく、３ｍｍ以上であることが更に好ましく、そして、４０ｍｍ以下であることが好ましく、５ｍｍ以下であることが更に好ましく、具体的には、１ｍｍ以上４０ｍｍ以下であることが好ましく、３ｍｍ以上５ｍｍ以下であることが更に好ましい。
各中間部域２Ｍに配された凸部９Ｍを構成する第２凸部９Ｍ２の長さＬ８は、１ｍｍ以上であることが好ましく、２ｍｍ以上であることが更に好ましく、そして、２０ｍｍ以下であることが好ましく、５ｍｍ以下であることが更に好ましく、具体的には、１ｍｍ以上２０ｍｍ以下であることが好ましく、２ｍｍ以上５ｍｍ以下であることが更に好ましい。
【００５７】
以上、本発明をその好ましい実施形態に基づき説明したが、本発明の吸収性物品は、上述した実施形態のおむつ１に何ら制限されるものではなく、適宜変更可能である。
【００５８】
例えば、おむつ１の表面シート２では、図３及び図４に示すように、中央域２Ｃに配された凸部９Ｃの大きさと、各側部域２Ｓに配された凸部９Ｓの大きさが同じになっているが、各中間部域２Ｍに配された凸部９Ｍの大きさよりも小さければ、異なっていてもよい。
【００５９】
また、本発明の吸収性物品の表面シートは、中央域２Ｃに配された凸部９Ｃ及び各側部域２Ｓに配された凸部９Ｓの大きさが、各中間部域２Ｍに配された凸部９Ｍの大きさよりも小さく形成されていればよく、上述した図４に示すおむつ１の表面シート２に限られるものではない。例えば、本発明の吸収性物品の表面シートは、以下に示す図７、図９及び図１１に示す表面シート２であってもよい。図７、図９及び図１１に示す表面シート２は、各中間部域２Ｍに配された凸部９の形状、配置等が、図４に示す表面シート２の各中間部域２Ｍに配された凸部９の形状、配置等と異なっている。図７、図９及び図１１に示す表面シート２については、図４に示す表面シート２と異なる点について主として説明し、同様の点については同一の符号を付して説明を省略する。特に言及しない点については、図４に示す表面シート２に関する説明が適宜適用される。
【００６０】
図７に示す実施形態の表面シート２では、各中間部域２Ｍにおいては、接合部８として、中央域２Ｃ及び各側部域２Ｓに、縦方向Ｘに沿う長さＬ１が横方向Ｙに沿う長さＬ２と同じ正方形状の第１接合部８１を有している。各中間部域２Ｍにおいては、積層された第１シート２ｕ及び第２シート２ｄが部分的に接合された複数の第１接合部８１のみを有している。また、第１シート２ｕは、それらの接合部８１以外の部位において第２シート２ｄから離れる方向に突出しており、それによって、着用者の肌側に向かって突出する凸部９ＭＡ及び別凸部９ＭＡ´が形成されている。凸部９ＭＡは、縦方向Ｘ及び横方向Ｙに延びており、縦方向Ｘに間隔を開けて複数形成されている。そして、各中間部域２Ｍに配された凸部９ＭＡは、縦方向Ｘに一定の間隔を空けて縦方向Ｘに延びる縦中心線ＣＬに平行に配されている。
【００６１】
図７に示す実施形態の表面シート２では、各中間部域２Ｍの凸部９ＭＡは、図８に示すように、第１シート２ｕと第２シート２ｄとの間に形成された内部に中空部１０を有し該凸部９ＭＡの頂部を形成する高凸部９ＭＡ１と、該高凸部９ＭＡ１の周囲に、該高凸部９ＭＡ１と連結した状態に形成されている４つの低凸部９ＭＡ２とから構成されている。ここで、高凸部９ＭＡ１と該高凸部９ＭＡ１の周囲に形成された低凸部９ＭＡ２に関し、連結した状態とは、隣り合う高凸部９ＭＡ１と低凸部９ＭＡ２が、接合部８１によって隔てられずに、連続して接合部８１の第１シート２ｕ側の表面よりも隆起していることをいう。
図７に示す実施形態の表面シート２では、平面視において、各凸部９ＭＡは、中央部の高凸部９ＭＡ１の部分から四方に低凸部９ＭＡ２が延出した形状を有し、略十字状をなしている。十字状の各凸部９ＭＡは、縦方向Ｘに延びると共に横方向Ｙにも延びている。
【００６２】
別凸部９ＭＡ´は、図７に示すように、平面視において、略矩形状であり、その大きさが、中央域２Ｃに配された凸部９Ｃ及び各側部域２Ｓに配された凸部９Ｓよりも大きく、凸部９ＭＡよりも小さく形成されている。また、別凸部９ＭＡ´は、８つの第１接合部８１に囲まれた領域に形成されている。
【００６３】
図７に示す実施形態の表面シート２では、各中間部域２Ｍの接合部８１は、複数の接合部８１が間隔を開けて直線状に直列してなる複数本の格子形成第１接合部列ＬＲ１と、複数の接合部８１が間隔を開けて直線状に直列してなる複数本の格子形成第２接合部列ＬＲ２とからなる格子状の配置パターンで形成されている。２本の格子形成第１接合部列ＬＲ１，ＬＲ１と２本の格子形成第２接合部列ＬＲ２，ＬＲ２とで囲まれた格子の目に相当する箇所のそれぞれに、凸部９ＭＡが形成されている。格子形成第１接合部列ＬＲ１と格子形成第２接合部列ＬＲ２とは、それぞれの列中一つ置きの接合部８１に置いて互いに交差しており、凸部９ＭＡが形成されている格子の目は、それぞれ８個の接合部８１によって周囲を囲まれている。
【００６４】
図７に示す実施形態の表面シート２では、各中間部域２Ｍの接合部８１は、縦方向Ｘ及び横方向Ｙに対して傾斜した斜め格子状に配置されている。即ち、格子形成第１接合部列ＬＲ１と格子形成第２接合部列ＬＲ２は、何れも、縦方向Ｘ及び横方向Ｙのそれぞれに対して傾斜している。格子形成第１接合部列ＬＲ１と格子形成第２接合部列ＬＲ２とのなす角度θ（図７参照）は、好ましくは３０°以上１６５°以下、より好ましくは４５°以上１５０°以下、更に好ましくは９０°超１２０°以下である。
【００６５】
図７に示す実施形態の表面シート２では、上述した中央域２Ｃ及び各側部域２Ｓに配された第１接合部列８Ｒａの縦方向Ｘにおける配置位置と一致する各中間部域２Ｍにおける横方向Ｙに隣り合う接合部８１，８１どうしの間隔は、該第１接合部列８Ｒａにおける横方向Ｙに隣り合う第１接合部８１，８１どうしの間隔Ｌ３と一致している。
【００６６】
図７に示す実施形態の表面シート２では、各中間部域２Ｍの十字状の凸部９ＭＡの頂部は、縦方向Ｘにおける配置位置が、中央域２Ｃ及び各側部域２Ｓに配された縦方向Ｘに隣り合う凸部９Ｃ，９Ｃの頂部どうし或いは凸部９Ｓ，９Ｓの頂部どうしを結ぶ縦方向Ｘに延びる直線の中央部に位置するように配置されている。
【００６７】
図７に示す実施形態の表面シート２では、中央域２Ｃに配された凸部９Ｃ及び各側部域２Ｓに配された凸部９Ｓの高さＨ１及び中央域２Ｃに配された凸部９Ｃ及び各側部域２Ｓに配された凸部９Ｓの底面積Ｄ１が、各中間部域２Ｍに配された凸部９ＭＡの高さＨ３（図８参照）及び各中間部域２Ｍに配された凸部９ＭＡの底面積Ｄ３（図８参照）よりも小さく形成されており、中央域２Ｃに配された凸部９Ｃ及び各側部域２Ｓに配された凸部９Ｓの大きさが、各中間部域２Ｍに配された凸部９ＭＡの大きさよりも小さく形成されている。このように形成されている為、図７に示す実施形態の表面シート２を備える吸収性物品は、図４に示す表面シート２を備えるおむつ１と同様な効果を奏する。
【００６８】
上述した効果を一層奏する観点から、各中間部域２Ｍに配された凸部９ＭＡの高さＨ３に対する、中央域２Ｃに配された凸部９Ｃ及び各側部域２Ｓに配された凸部９Ｓの高さＨ１の比（Ｈ１／Ｈ３）は、０．１以上であることが好ましく、０．４以上であることが更に好ましく、そして、０．９以下であることが好ましく、０．６以下であることが更に好ましく、具体的には、０．１以上０．９以下であることが好ましく、０．４以上０．６以下であることが更に好ましい。同様の観点から、各中間部域２Ｍに配された凸部９ＭＡの高さＨ３は、１ｍｍ以上であることが好ましく、２ｍｍ以上であることが更に好ましく、そして、６ｍｍ以下であることが好ましく、３ｍｍ以下であることが更に好ましく、具体的には、１ｍｍ以上６ｍｍ以下であることが好ましく、２ｍｍ以上３ｍｍ以下であることが更に好ましい。
【００６９】
上述した効果を一層奏する観点から、各中間部域２Ｍに配された凸部９ＭＡの底面積Ｄ３に対する、中央域２Ｃに配された凸部９Ｃ及び各側部域２Ｓに配された凸部９Ｓの底面積Ｄ１の比（Ｄ１／Ｄ３）は、０．１以上であることが好ましく、０．２以上であることが更に好ましく、そして、０．９以下であることが好ましく、０．５以下であることが更に好ましく、具体的には、０．１以上０．９以下であることが好ましく、０．２以上０．５以下であることが更に好ましい。同様の観点から、各中間部域２Ｍに配された凸部９ＭＡの底面積Ｄ３は、４ｍｍ２以上であることが好ましく、１５ｍｍ２以上であることが更に好ましく、そして、１５００ｍｍ２以下であることが好ましく、３０ｍｍ２以下であることが更に好ましく、具体的には、４ｍｍ２以上１５００ｍｍ２以下であることが好ましく、１５ｍｍ２以上３０ｍｍ２以下であることが更に好ましい。
【００７０】
次に、図９に示す実施形態の表面シート２では、各中間部域２Ｍにおいては、接合部８として、中央域２Ｃ及び各側部域２Ｓにと同様に、縦方向Ｘに沿う長さＬ１が横方向Ｙに沿う長さＬ２と同じ正方形状の第１接合部８１を有している。各中間部域２Ｍにおいては、積層された第１シート２ｕ及び第２シート２ｄが部分的に接合された複数の第１接合部８１のみを有している。また、第１シート２ｕは、それらの接合部８１以外の部位において第２シート２ｄから離れる方向に突出しており、それによって、着用者の肌側に向かって突出する凸部９ＭＢ及び別凸部９ＭＢ´が形成されている。凸部９ＭＢは、縦方向Ｘに長い楕円形状に形成されており、縦方向Ｘに間隔を開けて複数形成されている。そして、各中間部域２Ｍに配された凸部９ＭＢは、縦方向Ｘに一定の間隔を空けて縦方向Ｘに延びる縦中心線ＣＬに平行に配されている。また、図９に示す実施形態の表面シート２の各中間部域２Ｍでは、縦方向Ｘに間隔を空けて配された複数の凸部９ＭＢからなる列が、横方向Ｙに２列形成されている。
【００７１】
図９に示す実施形態の表面シート２では、各中間部域２Ｍの凸部９ＭＢは、図１０に示すように、第１シート２ｕと第２シート２ｄとの間に形成された内部に中空部１０を有している。
【００７２】
別凸部９ＭＢ´は、図９に示すように、平面視において、中央部が内方に括れた楕円形状の、所謂、ひょうたん型であり、その大きさが、中央域２Ｃに配された凸部９Ｃ及び各側部域２Ｓに配された凸部９Ｓよりも大きく、凸部９ＭＢよりも小さく形成されている。また、別凸部９ＭＢ´は、８つの第１接合部８１に囲まれた領域に形成されている。
【００７３】
図９に示す実施形態の表面シート２では、各中間部域２Ｍにおいては、第１接合部８１が横方向Ｙに沿って２種類の間隔Ｌ９と間隔Ｌ１０で規則的に配置されており、縦方向Ｘに延びる縦中心線ＣＬ寄りに間隔Ｌ９が位置する第３接合部列８Ｒｅが、縦方向(Ｘ方向)に複数列配されている。また、縦方向Ｘに延びる縦中心線ＣＬ寄りに間隔Ｌ１０が位置する第４接合部列８Ｒｆが、縦方向(Ｘ方向)に複数列配されている。そして、第３接合部列８Ｒｅと第４接合部列８Ｒｆが、縦方向Ｘに交互に等間隔を空けて配されている。尚、図９に示す実施形態の表面シート２においては、各中間部域２Ｍの第３接合部列８Ｒｅ及び第４接合部列８Ｒｆは、中央域２Ｃ及び各側部域２Ｓに配されている第２接合部列８Ｒｂの縦方向Ｘにおける配置位置に配されておらず、中央域２Ｃ及び各側部域２Ｓに配されている第１接合部列８Ｒａの縦方向Ｘにおける配置位置に配されている。即ち、各中間部域２Ｍの第３接合部列８Ｒｅ及び第４接合部列８Ｒｆの縦方向Ｘにおける配置位置が、中央域２Ｃ及び各側部域２Ｓに配されている第１接合部列８Ｒａの縦方向Ｘにおける配置位置と一致している。
【００７４】
図９に示す実施形態の表面シート２では、各中間部域２Ｍにおいては、縦方向Ｘに隣り合う第３接合部列８Ｒｅ，８Ｒｅを構成する第１接合部８１，８１どうしは、横方向Ｙにおける配置位置が一致している。縦方向Ｘに隣り合う第４接合部列８Ｒｆ，８Ｒｆを構成する第１接合部８１，８１どうしは、横方向Ｙにおける配置位置が一致している。そして、第３接合部列８Ｒｅにおける間隔Ｌ９で隣り合う第１接合部８１，８１どうし間に、第４接合部列８Ｒｆにおける間隔Ｌ１０で隣り合う一対の第１接合部８１，８１が位置している。また、第４接合部列８Ｒｆにおける間隔Ｌ９で隣り合う第１接合部８１，８１どうし間に、第３接合部列８Ｒｅにおける間隔Ｌ１０で隣り合う一対の第１接合部８１，８１が位置している。縦方向Ｘに隣り合う第３接合部列８Ｒｅと第４接合部列８Ｒｆとの間には一定の幅Ｗ２の隙間が形成されている。
【００７５】
図９に示す実施形態の表面シート２では、各中間部域２Ｍにおいては、合計６つの第１接合部８１に囲まれた領域内に凸部９ＭＢが形成されている。具体的には、各中間部域２Ｍにおいては、第３接合部列８Ｒｅを構成する２個の第１接合部８１，８１、及び縦方向Ｘにおいて、該第３接合部列８Ｒｅに隣り合う２つの第４接合部列８Ｒｆ，８Ｒｆを構成する４個の第１接合部８１，８１の合計６個の第１接合部８１によって囲まれた領域内に凸部９ＭＢが形成されている。凸部９ＭＢは、図９に示すように、平面視において、縦方向Ｘに長い楕円形状であり、楕円の長軸が縦方向Ｘと一致している。凸部９ＭＢは、６個の第１接合部８１に囲まれた領域の中央部に頂部を形成している。
【００７６】
図９に示す実施形態の表面シート２では、各中間部域２Ｍの第３接合部列８Ｒｅ及び第４接合部列８Ｒｆにおける間隔Ｌ９は、上述した中央域２Ｃ及び各側部域２Ｓの第１接合部列８Ｒａにおける間隔Ｌ３と一致している。また、各中間部域２Ｍの第３接合部列８Ｒｅ及び第４接合部列８Ｒｆにおける間隔Ｌ１０は、上述した中央域２Ｃ及び各側部域２Ｓの第２接合部列８Ｒａにおける間隔Ｌ４と一致している。
【００７７】
図９に示す実施形態の表面シート２では、各中間部域２Ｍの縦方向Ｘに長い楕円形状の凸部９ＭＢの頂部は、縦方向Ｘにおける配置位置が、中央域２Ｃ及び各側部域２Ｓに配された縦方向Ｘに間欠的に配された複数の凸部９Ｃにおける１つ置きの凸部９Ｃの頂部に位置するように配置されている。各中間部域２Ｍの横方向Ｙに隣り合う２列の凸部９ＭＢの列においては、別の凸部９ＭＢの列を構成する隣り合う凸部９ＭＢ，９ＭＢどうしの位相が縦方向Ｘに半ピッチずれている。
【００７８】
図９に示す実施形態の表面シート２では、中央域２Ｃに配された凸部９Ｃ及び各側部域２Ｓに配された凸部９Ｓの高さＨ１及び中央域２Ｃに配された凸部９Ｃ及び各側部域２Ｓに配された凸部９Ｓの底面積Ｄ１が、各中間部域２Ｍに配された凸部９ＭＢの高さＨ４（図１０参照）及び各中間部域２Ｍに配された凸部９ＭＢの底面積Ｄ４（図１０参照）よりも小さく形成されており、中央域２Ｃに配された凸部９Ｃ及び各側部域２Ｓに配された凸部９Ｓの大きさが、各中間部域２Ｍに配された凸部９ＭＢの大きさよりも小さく形成されている。このように形成されている為、図９に示す実施形態の表面シート２を備える吸収性物品は、図４に示す表面シート２を備えるおむつ１と同様な効果を奏する。
【００７９】
上述した効果を一層奏する観点から、各中間部域２Ｍに配された凸部９ＭＢの高さＨ４に対する、中央域２Ｃに配された凸部９Ｃ及び各側部域２Ｓに配された凸部９Ｓの高さＨ１の比（Ｈ１／Ｈ４）は、０．１以上であることが好ましく、０．４以上であることが更に好ましく、そして、０．９以下であることが好ましく、０．６以下であることが更に好ましく、具体的には、０．１以上０．９以下であることが好ましく、０．４以上０．６以下であることが更に好ましい。同様の観点から、各中間部域２Ｍに配された凸部９ＭＢの高さＨ４は、１ｍｍ以上であることが好ましく、２ｍｍ以上であることが更に好ましく、そして、６ｍｍ以下であることが好ましく、４ｍｍ以下であることが更に好ましく、具体的には、１ｍｍ以上６ｍｍ以下であることが好ましく、２ｍｍ以上４ｍｍ以下であることが更に好ましい。
【００８０】
上述した効果を一層奏する観点から、各中間部域２Ｍに配された凸部９ＭＢの底面積Ｄ４に対する、中央域２Ｃに配された凸部９Ｃ及び各側部域２Ｓに配された凸部９Ｓの底面積Ｄ１の比（Ｄ１／Ｄ４）は、０．１以上であることが好ましく、０．２以上であることが更に好ましく、そして、０．９以下であることが好ましく、０．６以下であることが更に好ましく、具体的には、０．１以上０．９以下であることが好ましく、０．２以上０．６以下であることが更に好ましい。同様の観点から、各中間部域２Ｍに配された凸部９ＭＢの底面積Ｄ４は、２ｍｍ２以上であることが好ましく、８ｍｍ２以上であることが更に好ましく、そして、１０００ｍｍ２以下であることが好ましく、５０ｍｍ２以下であることが更に好ましく、具体的には、２ｍｍ２以上１０００ｍｍ２以下であることが好ましく、８ｍｍ２以上５０ｍｍ２以下であることが更に好ましい。
【００８１】
上述した効果を一層奏する観点から、各中間部域２Ｍに配された第３接合部列８Ｒｅ及び第４接合部列８Ｒｆにおける間隔Ｌ９は、１ｍｍ以上であることが好ましく、２ｍｍ以上であることが更に好ましく、そして、２０ｍｍ以下であることが好ましく、５ｍｍ以下であることが更に好ましく、具体的には、１ｍｍ以上２０ｍｍ以下であることが好ましく、２ｍｍ以上５ｍｍ以下であることが更に好ましい。
上述した効果を一層奏する観点から、各中間部域２Ｍに配された第３接合部列８Ｒｅ及び第４接合部列８Ｒｆにおける間隔Ｌ１０は、０．３ｍｍ以上であることが好ましく、０．５ｍｍ以上であることが更に好ましく、そして、１０ｍｍ以下であることが好ましく、１ｍｍ以下であることが更に好ましく、具体的には、０．３ｍｍ以上１０ｍｍ以下であることが好ましく、０．５ｍｍ以上１ｍｍ以下であることが更に好ましい。
上述した効果を一層奏する観点から、縦方向Ｘに隣り合う第３接合部列８Ｒｅと第４接合部列８Ｒｆとの間の隙間の幅Ｗ２は、０．９ｍｍ以上であることが好ましく、１．５ｍｍ以上であることが更に好ましく、そして、１４ｍｍ以下であることが好ましく、３ｍｍ以下であることが更に好ましく、具体的には、０．９ｍｍ以上１４ｍｍ以下であることが好ましく、１．５ｍｍ以上３ｍｍ以下であることが更に好ましい。
【００８２】
次に、図１１に示す実施形態の表面シート２では、各中間部域２Ｍにおいては、接合部８として、中央域２Ｃ及び各側部域２Ｓにと同様に、縦方向Ｘに沿う長さＬ１が横方向Ｙに沿う長さＬ２と同じ正方形状の第１接合部８１を有している。各中間部域２Ｍにおいては、積層された第１シート２ｕ及び第２シート２ｄが部分的に接合された複数の第１接合部８１のみを有している。また、第１シート２ｕは、それらの接合部８１以外の部位において第２シート２ｄから離れる方向に突出しており、それによって、着用者の肌側に向かって突出する凸部９ＭＣ及び凸部９ＭＣ´が形成されている。凸部９ＭＣは、合計１４個の第１接合部８１に囲まれた領域内に形成されている。そして、各中間部域２Ｍに配された凸部９ＭＣは、縦方向Ｘに一定の間隔を空けて縦方向Ｘに延びる縦中心線ＣＬに平行に配されている。
【００８３】
図１１に示す実施形態の表面シート２では、各中間部域２Ｍの凸部９ＭＣは、１個の第１凸部９ＭＣ１と該第１凸部９ＭＣ１の横方向Ｙの両端部に配された２個の第２凸部９ＭＣ２，９ＭＣ２とを有している。凸部９ＭＣは、横方向Ｙに、一方の第２凸部９ＭＣ２、第１凸部９ＭＣ１、他方の第２凸部９ＭＣ２の順に配され、一方の第２凸部９ＭＣ２、第１凸部９ＭＣ１、他方の第２凸部９ＭＣ２が互いに連結されて形成されている。凸部９ＭＣを構成する第１凸部９ＭＣ１及び各第２凸部９ＭＣ２は、それぞれ、図１２に示すように、第１シート２ｕと第２シート２ｄとの間に形成された内部に中空部１０を有している。そして、凸部９ＭＣは、第１凸部９ＭＣ１の中空部１０及び各第２凸部９ＭＣ２の中空部１０が連続した横方向Ｙに長く延びる中空部１０を有している。凸部９ＭＣを構成する第１凸部９ＭＣ１は、図１１に示すように、平面視での形状が円形状であるが、凸部９ＭＣを構成する各第２凸部９ＭＣ２は、平面視での形状が楕円形状である。楕円形状の各第２凸部９ＭＣ２は、楕円の長軸が横方向Ｙと一致している。
【００８４】
凸部９ＭＣ´は、図１１に示すように、平面視において、長円形又は楕円形状であり、その大きさが、中央域２Ｃに配された凸部９Ｃ及び各側部域２Ｓに配された凸部９Ｓよりも大きく、凸部９ＭＢよりも小さく形成されている。また、別凸部９ＭＢ´は、６つの第１接合部８１に囲まれた領域に配されている。
【００８５】
図１１に示す実施形態の表面シート２では、各中間部域２Ｍにおいては、第１接合部８１が縦方向Ｘに一定の間隔で縦方向Ｘに沿って直列に配された縦方向第３接合部列８Ｒｘ３が形成されている。また、縦方向第３接合部列８Ｒｘ３における前記間隔よりも狭い間隔で縦方向Ｘに間隔を開けて第１接合部８１が一定の間隔で縦方向Ｘに沿って直列に配された縦方向第４接合部列８Ｒｘ４が形成されている。そして、図１１に示す実施形態の表面シート２では、各中間部域２Ｍにおいては、縦方向第３接合部列８Ｒｘ３と、縦方向第４接合部列８Ｒｘ４とが、横方向Ｙに、一定の間隔を空けて複数列形成されている。
【００８６】
図１１に示す実施形態の表面シート２では、各中間部域２Ｍにおいては、２本の縦方向第３接合部列８Ｒｘ３，８Ｒｘ３の左右横方向Ｙの外方に、それぞれ、２本の縦方向第４接合部列８Ｒｘ４，８Ｒｘ４が等間隔を空けて配されて横方向Ｙに多列に形成されている。該間隔は、図１１に示す実施形態の表面シート２では、中央域２Ｃ及び各側部域２Ｓに配された第２接合部列８Ｒｂにおける横方向Ｙに隣り合う第１接合部８１，８１どうしの間隔Ｌ４と一致している。
【００８７】
図１１に示す実施形態の表面シート２では、各中間部域２Ｍにおいては、第１接合部８１が横方向Ｙに直列に配された横方向第３接合部列８Ｒｙ３と、第１接合部８１が横方向Ｙに直列に配された横方向第４接合部列８Ｒｙ４とを有している。そして、図１１に示す実施形態の表面シート２では、縦方向Ｘに隣り合う２列の横方向第４接合部列８Ｒｙ４，８Ｒｙ４間に、１列の横方向第３接合部列８Ｒｙ３が介在しているエンボス領域Ｅと、縦方向Ｘに隣り合う２列の横方向第４接合部列８Ｒｙ４，８Ｒｙ４間に、横方向第３接合部列８Ｒｙ３が配されていない領域である非エンボス領域Ｎとが、縦方向Ｘに交互に形成されており、個々の凸部９ＭＣは、円形状の第１凸部９ＭＣ１の頂部が、非エンボス領域Ｎの縦方向Ｘの中央部に位置するように形成されている。尚、図１１に示す実施形態の表面シート２では、各中間部域２Ｍに配されている横方向第３接合部列８Ｒｙ３は、縦方向Ｘにおける配置位置が、上述した中央域２Ｃ及び各側部域２Ｓに配された第２接合部列８Ｒｂの縦方向Ｘにおける配置位置と一致している。また、各中間部域２Ｍに配されている横方向第４接合部列８Ｒｙ４は、縦方向Ｘにおける配置位置が、上述した中央域２Ｃ及び各側部域２Ｓに配された第１接合部列８Ｒａの縦方向Ｘにおける配置位置と一致している。
【００８８】
図１１に示す実施形態の表面シート２では、各中間部域２Ｍの凸部９ＭＣを構成する円形状の第１凸部９ＭＣ１の頂部は、縦方向Ｘにおける配置位置が、中央域２Ｃ及び各側部域２Ｓに配された縦方向Ｘに隣り合う凸部９Ｃ，９Ｃの頂部どうし或いは凸部９Ｓ，９Ｓの頂部どうしを結ぶ縦方向Ｘに延びる直線の中央部に位置するように配置されている。
【００８９】
図１１に示す実施形態の表面シート２では、中央域２Ｃに配された凸部９Ｃ及び各側部域２Ｓに配された凸部９Ｓの高さＨ１及び中央域２Ｃに配された凸部９Ｃ及び各側部域２Ｓに配された凸部９Ｓの底面積Ｄ１が、各中間部域２Ｍに配された凸部９ＭＣの高さＨ５（図１２参照）及び各中間部域２Ｍに配された凸部９ＭＣの底面積Ｄ５（図１２参照）よりも小さく形成されており、中央域２Ｃに配された凸部９Ｃ及び各側部域２Ｓに配された凸部９Ｓの大きさが、各中間部域２Ｍに配された凸部９ＭＣの大きさよりも小さく形成されている。このように形成されている為、図１１に示す実施形態の表面シート２を備える吸収性物品は、図４に示す表面シート２を備えるおむつ１と同様な効果を奏する。
【００９０】
上述した効果を一層奏する観点から、各中間部域２Ｍに配された凸部９ＭＣの高さＨ５に対する、中央域２Ｃに配された凸部９Ｃ及び各側部域２Ｓに配された凸部９Ｓの高さＨ１の比（Ｈ１／Ｈ５）は、０．１以上であることが好ましく、０．４以上であることが更に好ましく、そして、０．９以下であることが好ましく、０．６以下であることが更に好ましく、具体的には、０．１以上０．９以下であることが好ましく、０．４以上０．６以下であることが更に好ましい。同様の観点から、各中間部域２Ｍに配された凸部９ＭＣの高さＨ５は、１ｍｍ以上であることが好ましく、２ｍｍ以上であることが更に好ましく、そして、６ｍｍ以下であることが好ましく、４ｍｍ以下であることが更に好ましく、具体的には、１ｍｍ以上６ｍｍ以下であることが好ましく、２ｍｍ以上４ｍｍ以下であることが更に好ましい。
【００９１】
上述した効果を一層奏する観点から、各中間部域２Ｍに配された凸部９ＭＣの底面積Ｄ５に対する、中央域２Ｃに配された凸部９Ｃ及び各側部域２Ｓに配された凸部９Ｓの底面積Ｄ１の比（Ｄ１／Ｄ５）は、０．１以上であることが好ましく、０．１５以上であることが更に好ましく、そして、０．９以下であることが好ましく、０．３以下であることが更に好ましく、具体的には、０．１以上０．９以下であることが好ましく、０．１５以上０．３以下であることが更に好ましい。同様の観点から、各中間部域２Ｍに配された凸部９ＭＣの底面積Ｄ５は、６ｍｍ２以上であることが好ましく、２４ｍｍ２以上であることが更に好ましく、そして、２４００ｍｍ２以下であることが好ましく、１５０ｍｍ２以下であることが更に好ましく、具体的には、６ｍｍ２以上２４００ｍｍ２以下であることが好ましく、２４ｍｍ２以上１５０ｍｍ２以下であることが更に好ましい。
【００９２】
また、本発明の吸収性物品は、展開型の使い捨ておむつの他、所謂パンツ型使い捨ておむつであってもよい。また、本発明の吸収性物品は、使い捨ておむつの他、生理用ナプキン、パンティーライナー（おりものシート）、失禁パッド等であってもよい。
【符号の説明】
【００９３】
１  使い捨ておむつ（吸収性物品）
１Ｆ  腹側部
１Ｍ  股下部
１Ｒ  背側部
２  表面シート
２Ｃ  中央域
２Ｓ  側部域
２Ｍ  中間部域
３  裏面シート
４  吸収体
４１  吸収性コア
４２  コアラップシート
５  サイドシート
６  ファスニングテープ
７  被止着領域
８  接合部
８１  第１接合部
８２  縦長接合部
９  凸部
９Ｃ  中央域２Ｃの凸部
９Ｓ  各側部域２Ｓの凸部
９Ｍ  各中間部域２Ｍの凸部
Ｘ  縦方向
Ｙ  横方向
【図１】
0006647024.tif 000002
【図２】
0006647024.tif 000003
【図３】
0006647024.tif 000004
【図４】
0006647024.tif 000005
【図５】
0006647024.tif 000006
【図６】
0006647024.tif 000007
【図７】
0006647024.tif 000008
【図８】
0006647024.tif 000009
【図９】
0006647024.tif 000010
【図１０】
0006647024.tif 000011
【図１１】
0006647024.tif 000012
【図１２】
0006647024.tif 000013